(57)【要約】【課題】  スピニングリールのハンドル組立体において、雄ねじ部が外部に露出しないようにする。【解決手段】  ハンドル組立体１は、ハンドル軸部７と、ハンドルアーム８と、ハンドル把手９と、ハンドル軸部７の先端部外周に装着されハンドル軸部７の先端部外周側を覆う筒状のカバー部材７０と、ハンドル軸部７の先端部外周にハンドル軸部７に対して相対回転不能に設けられ外周部に雄ねじ部７１ａが形成された筒状のねじ部材７１と、カバー部材７０の内周部に配置され内周部に雄ねじ部７１ａに螺合可能な雌ねじ部７２ａが形成された筒状の移動部材７２とを備えている。カバー部材７０は、移動部材７２の外周部の少なくとも一部と、移動部材７２が装着されていない雄ねじ部７２ａの外周部の全部とを覆うように形成されている。【選択図】      図５
2006217848.tif 000002
【特許請求の範囲】
【請求項１】
スピニングリールのリール本体に回転自在に支持されるマスターギア軸に装着されるハンドル組立体であって、
前記マスターギア軸の内周部に相対回転不能に装着され、装着時に先端部が前記マスターギア軸の端部外方に突出して配置されるハンドル軸部と、
前記ハンドル軸部の先端部外周に装着され、前記ハンドル軸部の先端部外周側を覆う筒状のカバー部材と、
前記ハンドル軸部の先端部外周に前記ハンドル軸部に対して相対回転不能に設けられ、外周部に雄ねじ部が形成された筒状のねじ部材と、
前記カバー部材の内周部に配置され、内周部に前記雄ねじ部に螺合可能な雌ねじ部が形成された筒状の移動部材と、
前記ハンドル軸部の先端部に基端が揺動可能に装着され、前記移動部材の先端面に接触したとき揺動が規制され、かつ前記移動部材の先端面から離反したとき揺動が可能となる接触部を有し、前記ハンドル軸部の軸芯と交差する方向に延びるハンドルアームと、
前記ハンドルアームの先端に前記ハンドル軸部と略平行な軸回りに回転自在に装着されたハンドル把手とを備え、
前記カバー部材は、前記移動部材の外周部の少なくとも一部と、前記移動部材が装着されていない前記雄ねじ部の外周部の全部とを覆うように形成されている、スピニングリールのハンドル組立体。
【請求項２】
前記カバー部材は、前記マスターギア軸の端部を支持する前記リール本体の外方を覆う第１筒状部と、前記第１筒状部と逆側に突出して設けられ前記雄ねじ部の外周部を覆う第２筒状部とを有している、請求項１に記載のスピニングリールのハンドル組立体。
【請求項３】
前記カバー部材は、前記ハンドル軸部と一体成形されている、請求項１又は２に記載のスピニングリールのハンドル組立体。
【請求項４】
前記カバー部材は、前記ハンドル軸部と別体で形成されている、請求項１又は２に記載のスピニングリールのハンドル組立体。
【請求項５】
前記ねじ部材は、前記カバー部材と一体成形されている、請求項１又は２、４のいずれか１項に記載のスピニングリールのハンドル組立体。
【請求項６】
前記ねじ部材は、前記カバー部材と別体で形成されている、請求項１から４のいずれか１項に記載のスピニングリールのハンドル組立体。
【請求項７】
前記カバー部材の内周部と前記移動部材の外周部との間に配置された弾性部材をさらに備えている、請求項１から６のいずれか１項に記載のスピニングリールのハンドル組立体。
【請求項８】
前記移動部材と前記ハンドルアームとの間に配置され、前記移動部材を前記ハンドルアーム側に付勢する第１付勢部材をさらに備えている、請求項１から７のいずれか１項に記載のスピニングリールのハンドル組立体。
【請求項９】
前記カバー部材と前記移動部材との間に配置され、前記移動部材を前記ハンドルアーム側に付勢する第２付勢部材をさらに備えている、請求項１から８のいずれか１項に記載のスピニングリールのハンドル組立体。
【請求項１０】
前記カバー部材と前記マスターギア軸との間に配置され、外周部が前記カバー部材から前記マスターギア軸に向かって縮径するブッシュ部材をさらに備えている、請求項１から９のいずれか１項に記載のスピニングリールのハンドル組立体。
【請求項１１】
前記移動部材は、内周部に前記雌ねじ部が形成された本体部材と、前記本体部材と別体で設けられ、先端面が前記ハンドルアームの前記接触部に接触可能な環状部材とを有している、請求項１から１０のいずれか１項に記載のスピニングリールのハンドル組立体。
【発明の詳細な説明】
【技術分野】
【０００１】
本発明は、ハンドル組立体、特に、スピニングリールのリール本体に回転自在に支持されるマスターギア軸に装着されるハンドル組立体に関する。
【背景技術】
【０００２】
一般に、スピニングリールは、ハンドル組立体と、ハンドル組立体を有し釣竿に装着されるリール本体と、リール本体に前後移動自在に装着された糸巻き用のスプールと、リール本体に回転自在に支持され釣り糸をスプールに巻き付けるためのロータと、ハンドル組立体の回転をロータに伝達する回転伝達機構とを備えている。回転伝達機構は、マスターギアと、マスターギアが設けられたマスターギア軸と、マスターギアに噛み合うピニオンギアとを備えている。ピニオンギアの前部には、ロータが連結されている。マスターギア軸は、矩形等の非円形の貫通孔が形成された筒状の部材である。
【０００３】
ハンドル組立体は、ハンドル軸部と、ハンドル軸部から径方向に延びるハンドルアームと、ハンドルアームの先端に装着されたハンドル把手とを有しており、ハンドル軸部はマスターギア軸の左右端のいずれからも装着可能である。ハンドル軸部の外形は、マスターギア軸の貫通孔に回転不能に係止するために、矩形等の非円形に形成されている。ハンドルアームは、ハンドル軸部の先端に揺動可能に装着されており、リール本体に対して折り畳み可能になっている（たとえば、特許文献１参照）。
【０００４】
このようなハンドル組立体では、ハンドル軸部の先端に回転不能に装着され外周部に雄ねじ部が形成されたねじ部材と、内周部に雄ねじ部に螺合可能な雌ねじ部が形成されハンドルアームの基端部に接触可能な移動部材とを有している。ここでは、釣りを行うときは、移動部材をハンドルアームの基端部に接触させてハンドルアームの揺動を規制することによって、ハンドルを回転操作することができる。また、リールを収納するときは、移動部材をリール本体側に移動してハンドルアームの基端部から離反させ、ハンドルアームをリール本体に対して折り畳むことによってリール全体をコンパクトにすることができる。
【特許文献１】実開昭５３−１３０１９５号公報
【発明の開示】
【発明が解決しようとする課題】
【０００５】
前記従来のハンドル組立体は、ハンドル軸部の先端にねじ部材及び移動部材を設けることにより、ハンドルアームがリール本体に対して折り畳み可能になっている。しかし、移動部材がハンドルアームの基端部に接触したとき、ねじ部材の雄ねじ部は外部に露出するようになっている。このように、雄ねじ部が外部に露出すると、海水や泥等が付着してメンテナンスに手間がかかったり、腐食雰囲気に曝されて雄ねじ部が損傷してしまうおそれが生じる。
【０００６】
本発明の課題は、スピニングリールのハンドル組立体において、雄ねじ部が外部に露出しないようにすることにある。
【課題を解決するための手段】
【０００７】
発明１に係るスピニングリールのハンドル組立体は、スピニングリールのリール本体に回転自在に支持されるマスターギア軸に装着されるハンドル組立体であって、マスターギア軸の内周部に相対回転不能に装着され装着時に先端部がマスターギア軸の端部外方に突出して配置されるハンドル軸部と、ハンドル軸部の先端部外周に装着されハンドル軸部の先端部外周側を覆う筒状のカバー部材と、ハンドル軸部の先端部外周にハンドル軸部に対して相対回転不能に設けられ外周部に雄ねじ部が形成された筒状のねじ部材と、カバー部材の内周部に配置され内周部に雄ねじ部に螺合可能な雌ねじ部が形成された筒状の移動部材と、ハンドル軸部の先端部に基端が揺動可能に装着され移動部材の先端面に接触したとき揺動が規制されかつ移動部材の先端面から離反したとき揺動が可能となる接触部を有しハンドル軸部の軸芯と交差する方向に延びるハンドルアームと、ハンドルアームの先端にハンドル軸部と略平行な軸回りに回転自在に装着されたハンドル把手とを備えている。カバー部材は、移動部材の外周部の少なくとも一部と、移動部材が装着されていない雄ねじ部の外周部の全部とを覆うように形成されている。
【０００８】
このハンドル組立体では、カバー部材は、移動部材の外周部の少なくとも一部と、移動部材が装着されていない雄ねじ部の外周部の全部とを覆うように形成されているので、移動部材がどの位置にあっても、雄ねじ部は常にカバー部材または移動部材によって覆われることになり、このため雄ねじ部が外部に露出しなくなる。
【０００９】
発明２に係るハンドル組立体は、発明１のハンドル組立体において、カバー部材は、マスターギア軸の端部を支持するリール本体の外方を覆う第１筒状部と、第１筒状部と逆側に突出して設けられ雄ねじ部の外周部を覆う第２筒状部とを有している。この場合、カバー部材はリール本体の外方を覆っているので、カバー部材とリール本体との間の隙間から内部に海水や泥等が進入するのを防止できる。
【００１０】
発明３に係るハンドル組立体は、発明１又は２のハンドル組立体において、カバー部材は、ハンドル軸部と一体成形されている。この場合、たとえばカバー部材にハンドル軸部をインサート成形することにより、全体の部品点数を減少できる。
【００１１】
発明４に係るハンドル組立体は、発明１又は２のハンドル組立体において、カバー部材は、ハンドル軸部と別体で形成されている。この場合、カバー部材の形成が容易になる。
【００１２】
発明５に係るハンドル組立体は、発明１から４のいずれかのハンドル組立体において、ねじ部材は、カバー部材と一体成形されている。この場合、ハンドル軸部に回転不能に設けられたカバー部材とねじ部材とを一体成形することにより、全体の部品点数をさらに減少できる。
【００１３】
発明６に係るハンドル組立体は、発明１又は２、４のいずれかのハンドル組立体において、ねじ部材は、カバー部材と別体で形成されている。この場合、ハンドル軸部に回転不能に設けられたカバー部材にねじ部材をたとえば圧入して固定することにより、ねじ部材単体を加工することができるので、ねじ部材の形成が容易になる。
【００１４】
発明７に係るハンドル組立体は、発明１から６のいずれかのハンドル組立体において、カバー部材の内周部と移動部材の外周部との間に配置された弾性部材をさらに備えている。この場合、カバー部材と移動部材との間の隙間から内部に海水や泥等が進入するのを防止できる。
【００１５】
発明８に係るハンドル組立体は、発明１から７のいずれかのハンドル組立体において、移動部材とハンドルアームとの間に配置され、移動部材をハンドルアーム側に付勢する第１付勢部材をさらに備えている。この場合、移動部材のがたつきを抑えることができる。
【００１６】
発明９に係るハンドル組立体は、発明１から８のいずれかのハンドル組立体において、カバー部材と移動部材との間に配置され、移動部材をハンドルアーム側に付勢する第２付勢部材をさらに備えている。この場合、移動部材のがたつきをさらに抑えることができる。
【００１７】
発明１０に係るハンドル組立体は、発明１から９のいずれかのハンドル組立体において、カバー部材とマスターギア軸との間に配置され、外周部がカバー部材からマスターギア軸に向かって縮径するブッシュ部材をさらに備えている。この場合、カバー部材とマスターギア軸とのがたつきを抑えることができる。
【００１８】
発明１１に係るハンドル組立体は、発明１から１０のいずれかのハンドル組立体において、移動部材は、内周部に雌ねじ部が形成された本体部材と、本体部材と別体で設けられ、先端面がハンドルアームの接触部に接触可能な環状部材とを有している。この場合、環状部材の先端面がハンドルアームの接触部に接触するので、本体部材の傷付きや変形を防止できる。
【発明の効果】
【００１９】
本発明によれば、スピニングリールのハンドル組立体において、カバー部材は、移動部材の外周部の少なくとも一部と、移動部材が装着されていない雄ねじ部の外周部の全部とを覆うように形成されているので、雄ねじ部が外部に露出しなくなる。
【発明を実施するための最良の形態】
【００２０】
本発明の一実施形態を採用したスピニングリールは、図１から図４に示すように、ハンドル組立体１と、ハンドル組立体１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル組立体１は、リール本体２の右側（図１、図２参照）及び左側（図３、図４参照）のいずれにも装着可能であり、ハンドル組立体１が装着されていない側（図３、図４ではリール本体２の右側）には、有底筒状のキャップ部材１９が装着されている。
【００２１】
ハンドル組立体１は、図３及び図４に示すように、後述するマスターギア軸１０の内周部に相対回転不能に装着され先端部がマスターギア軸１０の端部より軸方向外方に突出して配置されるハンドル軸部７と、ハンドル軸部７の先端部から径方向に延びハンドル軸部７に対して揺動可能に装着されたハンドルアーム８と、ハンドルアーム８の先端に装着されたハンドル把手９とを備えている。ハンドル組立体１は、図４に示すように、ハンドル軸部７の先端部外周に装着されハンドル軸部７の先端部外周側を覆う筒状のカバー部材７０と、ハンドル軸部７の先端部外周にハンドル軸部７に対して相対回転不能に設けられ外周部に雄ねじ部７１ａ（図５参照）が形成された筒状のねじ部材７１と、カバー部材７０の内周部に配置され内周部に雄ねじ部７１ａに螺合可能な雌ねじ部７２ａ（図５参照）が形成された筒状の移動部材７２とをさらに備えている。
【００２２】
ハンドル軸部７は、図４に示すように、外形が矩形等の非円形に形成されており、後述するマスターギア軸１０の貫通孔１０ａに回転不能かつ軸方向移動可能に装着されている。ハンドル軸部７の端部（図４右側端部）には、内周側に雌ねじ部７ａが形成されており、貫通孔１０ａに装着したハンドル軸部７の雌ねじ部７ａにボルト部材１８の雄ねじ部１８ａを螺合させることによって、ハンドル軸部７をマスターギア軸１０に対して抜け止めしている。
【００２３】
ハンドルアーム８は、図３に示すように、たとえばアルミニウム合金製の棒状部材であって、リール本体２と対向する側にやや折れ曲がって形成されている。ハンドルアーム８の一端（図３下側端部）は、ハンドル軸部７の先端部（図３左側端部）にピン部材２０によってリール本体２と接離する方向に揺動可能に連結されている。ハンドルアーム８の他端（図３上側端部）には、ハンドル把手９が回転自在に装着されている。
【００２４】
ハンドル把手９は、図３に示すように、ハンドルアーム８にハンドル軸部７と略平行な軸回りに回転自在に装着される軸部９ｂと、軸部９ｂの先端に固定され釣人が把持するための把手部９ａとを有している。把手部９ａは、たとえば合成樹脂やコルク等によって形成されており、軸部９ｂは、たとえば金属製の部材である。
【００２５】
カバー部材７０は、図４及び図５に示すように、ハンドル軸部７と別体で設けられ、ハンドル軸部７にインサート成形することによって相対回転不能に装着されている。カバー部材７０は、マスターギア軸１０の端部を支持するボス部２ｆの先端筒部２ｇ（図４参照）の外方を覆う第１筒状部７０ａ（図５参照）と、第１筒状部７０ａと逆側に突出して設けられ移動部材７２の雄ねじ部７２ａの外周部を覆う第２筒状部７０ｂ（図５参照）と、第１筒状部７０ａの内周部から先端筒部２ｇ（図４参照）の内方に向けて突出する第３筒状部７０ｃ（図５参照）とを有している。第３筒状部７０ｃの内周部には、第２環状部材７３が装着されており、第２環状部材７３の先端部がマスターギア軸１０の端部に接触するように配置されている。また、カバー部材７０は、第２筒状部７０ｂの内周部から軸方向に向けて一部が凹んで形成され、後述するねじ部材７１のかしめ突起７１ｂをかしめ固定するためのかしめ凹部７０ｄをさらに有している。カバー部材７０は、図５に示すように、移動部材７２の外周部の少なくとも一部と、移動部材７２が装着されていない雄ねじ部７２ａの外周部の全部とを覆うように形成されている。
【００２６】
ねじ部材７１は、図５に示すように、外周に雄ねじ部７１ａが形成された筒状部材であって、カバー部材７０と別体で設けられている。ねじ部材７１の後端部（図５右側端部）には、カバー部材７０のかしめ凹部７０ｄにかしめ固定されるかしめ突起７１ｂが後方に突出して形成されている。雄ねじ部７１ａには、移動部材７２の内周部に形成された雌ねじ部７２ａが螺合可能である。
【００２７】
移動部材７２は、図５に示すように、筒状の部材であって、内周部に形成された雌ねじ部７２ａと、先端部（図５左側端部）の内周部が雌ねじ部７２ａより大径に切り欠かれた切り欠き部７２ｂとを有する本体部材７２ｃを備えている。切り欠き部７２ｂには、本体部材７２ｃをハンドルアーム８側に付勢する皿ばねからなる第１付勢部材７４が装着されている。また、本体部材７２ｃと別体で設けられ、本体部材７２ｃの先端部に接触するように装着された第１環状部材７２ｄをさらに備えている。第１環状部材７２ｄは、本体部材７２ｃの切り欠き部７２ｂに装着された第１付勢部材７４によってハンドルアーム８側に付勢されている。ハンドルアーム８は、移動部材７２の第１環状部材７２ｄの先端面７２ｅに接触したとき（図５下側参照）揺動が規制され、かつ先端面７２ｅから離反したとき（図５上側参照）揺動が可能となる接触部８ａを有している。
【００２８】
このようなハンドルアーム８を折り畳むには、図４及び図５に示すように、移動部材７２を締結方向に回転し、ねじ部材７１の雄ねじ部７１ａに雌ねじ部７２ａを螺合させてリール本体２側（図４、図５右側）へ移動させる。すると、移動部材７２の第１環状部材７２ｄの先端面７２ｅがハンドルアーム８の接触部８ａから離反し、移動部材７２とハンドルアーム８との間に隙間が生成され、ハンドルアーム８がリール本体２側に折り畳み可能になる（図５上側参照）。
【００２９】
また、ハンドルアーム８を揺動させて回転できるようにするには、図４及び図５に示すように、移動部材７２を緩める方向に回転し、ねじ部材７１の雄ねじ部７１ａに雌ねじ部７２ａを螺合させてリール本体２から離反する側（図４、図５左側）へ移動させる。すると、移動部材７２の第１環状部材７２ｄの先端面７２ｅがハンドルアーム８の接触部８ａに接触し、ハンドルアーム８が移動部材７２に対して揺動不能になり、ハンドルアーム８が回転可能になる（図５下側参照）。
【００３０】
リール本体２は、図１から図４に示すように、開口を有するリールボディ２ａと、開口を塞ぐようにリールボディ２ａに着脱自在に装着された蓋部材２ｂと、蓋部材２ｂから斜め上前方に延びる竿取付脚２ｃと、リールボディ２ａ及び蓋部材２ｂの後部から下部にわたって装着されるカバー部材２ｄとを有している。リールボディ２ａは内部に空間を有している。この空間内には、ハンドル組立体１の回転に連動してロータ３を回転させるロータ駆動機構５と、スプール４を前後に移動させて釣り糸を均一に巻き取るためのオシレーティング機構６とが設けられている。
【００３１】
ロータ駆動機構５は、図２及び図４に示すように、ハンドル組立体１のハンドル軸部７が回転不能に装着されたマスターギア軸１０とともに回転するマスターギア１１と、このマスターギア１１に噛み合うピニオンギア１２とを有している。マスターギア軸１０は、図４に示すように、マスターギア１１と一体成形された筒状部材であり、内周部の形状が矩形等の非円形に形成された貫通孔１０ａを有している。マスターギア軸１０は、図４に示すように、リール本体２の両側方に突出したボス部２ｅ、２ｆの内周部に装着された軸受１６、１７によって、ール本体２に回転自在に支持されている。マスターギア１１は、ピニオンギア１２に噛み合うフェースギアである。ピニオンギア１２は、筒状に形成され、ロータ３の中心部を貫通している。そして、ピニオンギア１２の前部１２ａが、ナット１３によってロータ３に固定されている。また、ピニオンギア１２の中間部と後端部とが、それぞれ軸受１４ａ、１４ｂを介してリール本体２に回転自在に支持されている。
【００３２】
オシレーティング機構６は、図２及び図４に示すように、スプール４の中心部を貫通してドラグ機構６０に連結されたスプール軸１５を前後方向に移動させることで、スプール４をドラグ機構６０とともに前後移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２は、スプール軸１５の後端に回転不能に固定されている。中間ギア２３は、図示しない減速機構を介してピニオンギア１２に噛み合っている。この減速機構によって、オシレーティング機構６の前後移動速度が遅くなり、釣り糸をスプール４に緻密に巻き付けることができる。
【００３３】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは一体に成形されている。
円筒部３０の前部には前壁３３が形成され、この前壁３３の中央部にはボス部３３ａが設けられている。ボス部３３ａの中心部には貫通孔が形成され、この貫通孔をピニオンギア１２の前部１２ａ及びスプール軸１５が貫通している。前壁３３の前部にはナット１３が配置され、このナット１３によってピニオンギア１２の前部１２ａがロータ３に固定されている。
【００３４】
第１ロータアーム３１は、円筒部３０から外方に向けて凸状に湾曲して前方へと延びている。第１ロータアーム３１の先端外周側には、第１ベール支持部材４０が揺動自在に装着されている。第１ベール支持部材４０の先端には、釣り糸をスプール４に案内するためのラインローラ４１が装着されている。第２ロータアーム３２は、円筒部３０から外方に凸に湾曲して前方に延びている。第２ロータアーム３２の先端外周側には、第２ベール支持部材４２が揺動自在に装着されている。ラインローラ４１と第２ベール支持部材４２との間には、線材を略Ｕ状に湾曲させたベール４３が固定されている。これらの第１ベール支持部材４０、第２ベール支持部材４２、ラインローラ４１及びベール４３によって、ベールアーム４４は構成される。ベールアーム４４は、図２に示す糸案内姿勢とそれから反転した糸開放姿勢との間で揺動自在である。
【００３５】
ロータ３の円筒部３０の内部にはロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００３６】
スプール４は、図２に示すように、ロータ３の第１ロータアーム３１と第２ロータアーム３２との間に配置されており、スプール軸１５の先端にドラグ機構６０を介して装着されている。
【００３７】
次に、リールの操作及び動作について説明する。
釣りを行う際、キャスティングしてリール本体２から釣り糸を繰り出すために、ベールアーム４４を反転させると、第１ベール支持部材４０及び第２ベール支持部材４２が揺動し、ベールアーム４４を糸開放姿勢にすることができる。この状態で、釣竿を握る手の人差し指で釣り糸を引っかけながら釣竿をキャスティングする。すると、釣り糸は仕掛けの重さによって勢いよく前方に放出される。そして、ハンドル組立体１を糸巻取方向に回転させると、ロータ駆動機構５によりロータ３が糸巻取方向に回転し、ベールアーム４４が図示しないベール反転機構により糸巻取位置に復帰し、釣り糸がスプール４に巻き付けられる。
【００３８】
このようなスピニングリールのハンドル組立体１では、カバー部材７０は、移動部材７２の外周部の少なくとも一部と、移動部材７２が装着されていない雄ねじ部７２ａの外周部の全部とを覆うように形成されているので、移動部材７２がどの位置にあっても、雄ねじ部７２ａは常にカバー部材７０または移動部材７２によって覆われる。したがって、雄ねじ部７２ａが外部に露出しなくなる。
【００３９】
〔他の実施形態〕
（ａ）  前記実施形態では、フロントドラグ機構を有するスピニングリールを例にあげて説明したが、たとえばフロントドラグ機構とレバードラグ機構との両方を有するスピニングリール等の他のスピニングリールにも本発明を適用できる。
【００４０】
（ｂ）  前記実施形態では、移動部材７２は、本体部材７２ｃと別体の第１環状部材７２ｄを有していたが、図６から図８、図１２に示すように、第１環状部材７２ｄを設けずに、本体部材７２ｃの先端面７２ｅをハンドルアーム８の接触部８ａに直接接触させる構成にしてもよい。
【００４１】
（ｃ）  前記実施形態では、カバー部材７０とねじ部材７１とは別体で設けられていたが、図６から図１２に示すように、カバー部材７０とねじ部材７１とを一体成形してもよい。カバー部材７０は、ハンドル軸部７にインサート成形されていたが、これに限定されるものではなく、カバー部材７０とハンドル軸部７とを一体成形してもよい。
【００４２】
（ｄ）  図７に示すように、カバー部材７０の内周部と移動部材７２の外周部との間に、たとえばＯリングからなる弾性部材７６を設ける構成にしてもよい。ここでは、カバー部材７０と移動部材７２との間の隙間から内部に海水や泥等が進入するのを防止できる。
【００４３】
（ｅ）  図８に示すように、カバー部材７０と移動部材７２との間に、たとえばコイルばね等の第２付勢部材７５を設ける構成にしてもよい。ここでは、第２付勢部材７５によって移動部材７２がハンドルアーム８側に付勢されるので、移動部材７２のがたつきを抑えることができる。
【００４４】
（ｆ）  前記実施形態では、移動部材７２とハンドルアーム８との間には、皿ばねからなる第１付勢部材７４が設けられていたが、図９に示すように、第１付勢部材７４として２つの皿ばね７４ａを設けてもよい。また、図１０に示すように、第１付勢部材７４として、歯付き座金７４ｂと、合成樹脂製の第３環状部材７４ｃとを設けてもよい。あるいは、図１１に示すように、第１付勢部材７４として、歯付き座金７４ｂと、合成樹脂製の第３環状部材７４ｃと、１つの皿ばね７４ａとを設けてもよい。ここでは、第１付勢部材７４によって移動部材７２がハンドルアーム８側に付勢されるので、移動部材７２のがたつきを抑えることができる。
【００４５】
（ｇ）  図１２に示すように、カバー部材７０とマスターギア軸１０との間に配置され、外周部がカバー部材７からマスターギア軸１０に向かって縮径するブッシュ部材７７をさらに備えていてもよい。ここでは、カバー部材７０とマスターギア軸１０とのがたつきを抑えることができる。
【図面の簡単な説明】
【００４６】
【図１】本発明の一実施形態を採用したスピニングリールの側面図。
【図２】前記スピニングリールの側面断面図。
【図３】前記スピニングリールの背面図。
【図４】前記スピニングリールの背面断面図。
【図５】ハンドル組立体の拡大断面図。
【図６】他の実施形態の図５に相当する図。
【図７】他の実施形態の図５に相当する図。
【図８】他の実施形態の図５に相当する図。
【図９】他の実施形態の図５に相当する図。
【図１０】他の実施形態の図５に相当する図。
【図１１】他の実施形態の図５に相当する図。
【図１２】他の実施形態の図５に相当する図。
【符号の説明】
【００４７】
１  ハンドル組立体
２  リール本体
７  ハンドル軸部
８  ハンドルアーム
８ａ  接触部
９  ハンドル把手
９ａ  把手部
９ｂ  軸部
１０  マスターギア軸
１１  マスターギア
１６、１７  軸受
１８  ボルト部材
１９  キャップ部材
２０  ピン部材
７０  カバー部材
７０ａ  第１筒状部
７０ｂ  第２筒状部
７０ｃ  第３筒状部
７０ｄ  かしめ凹部
７１  ねじ部材
７１ａ  雄ねじ部
７１ｂ  かしめ突起
７２  移動部材
７２ａ  雌ねじ部
７２ｂ  切り欠き部
７２ｃ  本体部材
７２ｄ  第１環状部材
７２ｅ  先端面
７３  第２環状部材
７４  第１付勢部材
７４ａ  皿ばね
７４ｂ  歯付き座金
７４ｃ  第３環状部材
７５  第２付勢部材
７６  弾性部材
７７  ブッシュ部材
【図１】
2006217848.tif 000003
【図２】
2006217848.tif 000004
【図３】
2006217848.tif 000005
【図４】
2006217848.tif 000006
【図５】
2006217848.tif 000007
【図６】
2006217848.tif 000008
【図７】
2006217848.tif 000009
【図８】
2006217848.tif 000010
【図９】
2006217848.tif 000011
【図１０】
2006217848.tif 000012
【図１１】
2006217848.tif 000013
【図１２】
2006217848.tif 000014